(57)【要約】【課題】トイレ装置を動作させるリモコンの通信として、赤外線式の通信と電波式の通信との二つの通信を組み合わせて利用できるトイレシステムを提供すること。【解決手段】トイレシステム１は、第１通信手段の通信信号を送信可能なリモコン３と、第２通信手段の通信信号を受信可能なトイレ装置２と、リモコン３からの第１通信手段の通信信号を受信可能であると共に、第２通信手段の通信信号をトイレ装置２に送信可能な中継モジュール４と、を備え、第１通信手段及び第２通信手段のいずれか一方は電波式通信手段であり、第１通信手段及び第２通信手段のいずれか他方は赤外線式通信手段であり、中継モジュール４は、リモコン３とトイレ装置２とを１対１で対応させて通信を行う。【選択図】図１
2019196627.tif 000002
【特許請求の範囲】
【請求項１】
第１通信手段の通信信号を送信可能なリモコンと、
第２通信手段の通信信号を受信可能なトイレ装置と、
前記リモコンからの第１通信手段の通信信号を受信可能であると共に、前記第２通信手段の通信信号を前記トイレ装置に送信可能な中継モジュールと、を備えるトイレシステムであって、
前記第１通信手段及び第２通信手段のいずれか一方は電波式通信手段であり、
前記第１通信手段及び第２通信手段のいずれか他方は赤外線式通信手段であり、
前記中継モジュールは、前記リモコンと前記トイレ装置とを１対１で対応させて通信を行うトイレシステム。
【請求項２】
前記第１通信手段は、電波式通信手段であり、
前記第２通信手段は、赤外線式通信手段である請求項１に記載のトイレシステム。
【請求項３】
前記リモコンは、無電源リモコンである請求項１又は２に記載のトイレシステム。
【請求項４】
前記中継モジュールには、電源ケーブルを介して電源が接続されている請求項３に記載のトイレシステム。
【請求項５】
前記中継モジュールに設けられ、管理者が設定する詳細設定を設定可能な管理者モード用ボタンを更に備える請求項１〜４のいずれかに記載のトイレシステム。
【請求項６】
前記中継モジュールに設けられ、詳細設定モード又は通常モードに切り替え可能なモード切替ボタンを更に備える請求項１〜４のいずれかに記載のトイレシステム。
【請求項７】
前記リモコンは、前記モード切替ボタンにより前記詳細設定モードに切り替えた場合に、詳細設定を設定可能である請求項６に記載のトイレシステム。
【発明の詳細な説明】
【技術分野】
【０００１】
本発明は、リモコンと、トイレ装置と、を備えるトイレシステムに関する。
【背景技術】
【０００２】
従来、赤外線式のリモコンを使用して、赤外線式の通信でトイレ装置と通信を行うトイレシステムが知られている（例えば、特許文献１参照）。
また、電波式のリモコンを使用して、電波式の通信でトイレ装置と通信を行うトイレシステムが知られている（例えば、特許文献２参照）。
【先行技術文献】
【特許文献】
【０００３】
【特許文献１】特開２０１１−１６３０８６号公報
【特許文献２】特開２０１７−１７９７６４号公報
【発明の概要】
【発明が解決しようとする課題】
【０００４】
トイレ装置を動作させるリモコンの通信として、特許文献１に記載の赤外線式の通信と、特許文献２に記載の電波式の通信との二つの通信を組み合わせて利用することができなかった。例えば、電波式の通信は一般的に消費電力が少ないことから、電波式の通信を行うリモコンを使用して、赤外線式の通信を行うトイレ装置を動作させたいことがある。
【０００５】
本発明は、トイレ装置を動作させるリモコンの通信として、赤外線式の通信と電波式の通信との二つの通信を組み合わせて利用できるトイレシステムを提供することを目的とする。
また、電波式のリモコンを使用して、赤外線式の通信を行うトイレ装置を動作させることができるトイレシステムを提供することを目的とする。
【課題を解決するための手段】
【０００６】
本発明は、第１通信手段の通信信号を送信可能なリモコン（例えば、後述の無電源リモコン３）と、第２通信手段の通信信号を受信可能なトイレ装置（例えば、後述のトイレ装置２）と、前記リモコンからの第１通信手段の通信信号を受信可能であると共に、前記第２通信手段の通信信号を前記トイレ装置に送信可能な中継モジュール（例えば、後述の中継モジュール４）と、を備えるトイレシステム（例えば、後述のトイレシステム１）であって、前記第１通信手段及び第２通信手段のいずれか一方は電波式通信手段であり、前記第１通信手段及び第２通信手段のいずれか他方は赤外線式通信手段であり、前記中継モジュールは、前記リモコンと前記トイレ装置とを１対１で対応させて通信を行うトイレシステムに関する。
【０００７】
また、前記第１通信手段は、電波式通信手段であり、前記第２通信手段は、赤外線式通信手段であることが好ましい。
【０００８】
また、前記リモコンは、無電源リモコンであることが好ましい。
【０００９】
また、前記中継モジュールには、電源ケーブルを介して電源が接続されていることが好ましい。
【００１０】
また、前記中継モジュールに設けられ、管理者が設定する詳細設定を設定可能な管理者モード用ボタン（例えば、後述の管理者モード用ボタン４３）を更に備えることが好ましい。
【００１１】
また、前記中継モジュールに設けられ、詳細設定モード又は通常モードに切り替え可能なモード切替ボタン（例えば、後述のモード切替ボタン４４）を更に備えることが好ましい。
【００１２】
また、前記リモコンは、前記モード切替ボタンにより前記詳細設定モードに切り替えた場合に、詳細設定を設定可能であることが好ましい。
【発明の効果】
【００１３】
本発明によれば、トイレ装置を動作させるリモコンの通信として、赤外線式の通信と電波式の通信との二つの通信を組み合わせて利用できるトイレシステムを提供することができる。
【図面の簡単な説明】
【００１４】
【図１】第１実施形態のトイレシステムの全体構成を示すブロック図である。
【図２】管理者モード用ボタンの一例を示す図である。
【図３】第２実施形態のトイレシステムの全体構成を示すブロック図である。
【発明を実施するための形態】
【００１５】
以下、本発明の第１実施形態について図面を参照しながら説明する。図１は、第１実施形態のトイレシステム１の全体構成を示すブロック図である。図２は、管理者モード用ボタン４３の一例を示す図である。
【００１６】
第１実施形態に係るトイレシステム１は、図１に示すように、トイレ装置２と、無電源リモコン３（リモコン）と、中継モジュール４と、を備える。第１実施形態のトイレ装置２は、例えば、公衆トイレである。トイレ装置２、無電源リモコン３及び中継モジュール４は、例えば、公衆トイレの個室の室内に設けられる。
【００１７】
無電源リモコン３は、電波式通信手段（第１通信手段）の電波信号（通信信号）を送信可能なリモコンである。具体的には、無電源リモコン３は、トイレ装置２を操作するための電波信号を中継モジュール４に向けて送信する。無電源リモコン３は、押しボタン３１と、押しボタン３１の押し動作に応じて電波信号を送信する電波送信部３２と、を有する。無電源リモコン３により電波信号を送信する場合の消費電流は、例えば、数十ｍＡ程度である。
【００１８】
無電源リモコン３は、電池などの電源を備えておらず、押しボタン３１を押す力で発電する無電源のリモコンである。無電源リモコン３は、押しボタン３１を押す力で発電した電力を用いて、電波信号を送信する。無電源リモコン３は、押しボタン３１を１回押す力で１回分の電波信号を送信する発電する。ただし、無電源リモコン３は、少量の電力しか発電できず、複数の押しボタンを同時に操作した場合の電力をまかなうだけの電力を発電することが難しい。本実施形態においては、無電源リモコン３の押しボタン３１を１つ設けている。なお、無電源リモコン３の押しボタンの個数は、１つに限定されず、複数でもよい。
【００１９】
中継モジュール４は、無電源リモコン３からの電波式通信手段の電波信号（通信信号）を受信可能であると共に、赤外線通信手段の赤外線信号（通信信号）をトイレ装置２に送信可能である。具体的には、中継モジュール４は、無電源リモコン３から送信された電波信号を電波受信部４１で受信して、管理者モード用ボタン４３において設定された設定内容のトイレ装置２の各機能の設定に応じたコードを赤外線送信部４２から赤外線信号でトイレ装置２に送信する。中継モジュール４は、無電源リモコン３とトイレ装置２とを１対１で対応させて通信を行う。
【００２０】
中継モジュール４は、電波受信部４１と、赤外線送信部４２と、管理者が設定する詳細設定を設定可能な管理者モード用ボタン４３と、を有する。本実施形態においては、中継モジュール４には、電源ケーブル（図示せず）を介して電源が接続されており、電力が供給されている。中継モジュール４により赤外線信号を送信する場合の消費電流は、例えば、数百ｍＡ程度である。なお、中継モジュール４の電力は、電源コードを介して供給されることに限定されず、例えば、電池により供給されてもよい。
【００２１】
管理者モード用ボタン４３は、管理者が設定するトイレ装置２の詳細な設定をすることが可能なボタンである。管理者モード用ボタン４３は、通常、トイレ装置２の使用者により操作されるものではなく、主に、トイレ装置２のメンテナンスの際に管理者により操作される。管理者モード用ボタン４３は、トイレ装置２の各機能の設定に応じたコードを設定可能であり、トイレ装置２の各機能の設定に応じたコードは、赤外線送信部４２から送信する赤外線信号に紐付けられて、赤外線送信部４２からトイレ装置２に送信される。
【００２２】
例えば、管理者モード用ボタン４３は、図２に示すように、複数のボタン４３１（例えば、０〜９、Ａ〜Ｆのボタン）で構成され、複数のボタン４３１の操作順などの組み合わせにより、トイレ装置２の各機能の設定に応じたコードを設定可能に構成される。トイレ装置２の各機能の設定とは、例えば、便座の温度の設定や、シャワートイレのシャワーの温水の温度の設定や、節電に関する設定や、自動洗浄に関する設定や、洗浄終了時の便座を閉じる動作に関する設定などを挙げることができる。
【００２３】
トイレ装置２は、赤外線通信手段（第２通信手段）の通信信号を受信可能である。具体的には、トイレ装置２は、中継モジュール４により送信された赤外線信号を受信する。トイレ装置２は、中継モジュール４の赤外線送信部４２により送信された赤外線信号を受信する赤外線受信部２１と、トイレ装置２の各機能を制御する制御部２２と、を備える。本実施形態においては、トイレ装置２には、電源が接続されており、電力が供給されている。制御部２２は、赤外線受信部２１により受信した赤外線信号に基づいて、トイレ装置２の各機能の詳細設定を行う。
【００２４】
次に、第１実施形態のトイレシステム１におけるトイレ装置２の各機能の設定手順の第１設定例について説明する。
第１実施形態のトイレシステム１のトイレ装置２は、主に、公衆トイレである。トイレ装置２の各機能の設定は、通常、トイレ装置２の使用者が行うものではなく、主に、トイレ装置２のメンテナンスの際に管理者が行うものである。なお、トイレ装置２は、公衆トイレに限定されず、住宅用トイレでもよい。
【００２５】
管理者モード用ボタン４３は、通常、トイレ装置２の使用者が操作されるものではなく、主に、管理者がトイレ装置２のメンテナンスの際に操作される。管理者用の詳細設定を行わない場合には、中継モジュール４の管理者モード用ボタン４３を操作せずに、無電源リモコン３の押しボタン３１を押すことで、中継モジュール４が無電源リモコン３とトイレ装置２とを１対１で対応させて通信を行うため、トイレ装置２の洗浄動作が実行される。
【００２６】
管理者用の設定を行う場合には、管理者は、中継モジュール４の管理者モード用ボタン４３を操作することで、トイレ装置２の各機能に応じた詳細設定を行う。例えば、複数のボタンの押し順などによりトイレ装置２の各機能の設定に応じたコードを入力することで、赤外線信号により、トイレ装置２の各機能の設定に応じたコードを、中継モジュール４から、トイレ装置２に送信する。なお、管理者モード用ボタン４３を操作することでトイレ装置２の各機能に応じた詳細設定を行う場合には、トイレ装置と１対１に対応した詳細設定だけでなく、公衆トイレの空間内にある複数のトイレ装置に対しても、一斉に詳細設定を行うことができる。
【００２７】
これにより、トイレ装置２は、赤外線受信部２１において赤外線信号を受信する。そして、制御部２２は、赤外線受信部２１において受信した赤外線信号に基づいて、トイレ装置２の各機能の詳細設定を行う。
【００２８】
次に、第１実施形態のトイレシステム１におけるトイレ装置２の各機能の設定手順の第２設定例について説明する。
管理者は、中継モジュール４の管理者モード用ボタン４３を操作することで、トイレ装置２の各機能に応じた詳細設定を行う。
この状態で、無電源リモコン３の押しボタン３１を押すことで、無電源リモコン３を発電させて、その発電された電力を用いて、電波送信部３２は、電波信号を中継モジュール４に送信する。そして、中継モジュール４は、電波信号を電波受信部４１において受信する。
【００２９】
続けて、中継モジュール４の電波受信部４１において受信された電波信号をきっかけに、赤外線送信部４２は、管理者モード用ボタン４３によりトイレ装置２の各機能の設定に応じたコードを、赤外線信号によりトイレ装置２に送信する。
【００３０】
これにより、トイレ装置２は、赤外線受信部２１において赤外線信号を受信する。そして、制御部２２は、赤外線受信部２１において受信した赤外線信号に基づいて、トイレ装置２の各機能の詳細設定を行う。
【００３１】
以上説明した本実施形態に係る第１実施形態のトイレシステム１によれば、以下のような効果を奏する。
本実施形態においては、トイレシステム１は、電波式通信手段の通信信号を送信可能な無電源リモコン３と、赤外線式通信手段の通信信号を受信可能なトイレ装置２と、無電源リモコン３からの電波式通信手段の通信信号を受信可能であると共に、赤外線式通信手段の通信信号をトイレ装置２に送信可能な中継モジュール４と、を備え、第１通信手段及び第２通信手段のいずれか一方は電波式通信手段であり、電波式通信手段及び赤外線式通信手段のいずれか他方は赤外線式通信手段であり、中継モジュール４は、無電源リモコン３とトイレ装置２とを１対１で対応させて通信を行う。これにより、中継モジュール４を用いて、無電源リモコン３とトイレ装置２とを１対１で対応させることができるため、トイレ装置２を動作させる無電源リモコン３の通信として、赤外線式の通信と電波式の通信との二つの通信を組み合わせて利用できる。
【００３２】
また、本実施形態においては、リモコンは、無電源リモコン３である。そのため、無電源リモコン３から送信される通信信号を電池などの電源がない状態でも、送信することができる。これにより、リモコンの電池などの電源に要するコストを低減できる。このように、電波式のリモコンを使用して、赤外線式の通信を行うトイレ装置２を動作させることができる。
【００３３】
また、本実施形態においては、中継モジュール４には電源ケーブルを介して電源に接続されている。これにより、中継モジュール４の電源として電池を使用しないため、電池交換などのメンテナンスの必要がなく、メンテナンス性が良好である。
【００３４】
また、本実施形態においては、中継モジュール４に設けられ、管理者が設定する詳細設定を設定可能な管理者モード用ボタン４３を更に備える。これにより、無電源リモコン３において複雑な操作を行わなくても、トイレ装置２の複数の機能の詳細設定を容易に行うことができる。
【００３５】
次に、本発明の第２実施形態に係るトイレシステム１Ａの構成について、図３を参照して説明する。図３は、第２実施形態のトイレシステム１Ａの全体構成を示すブロック図である。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。
【００３６】
図３に示すように、第２実施形態に係るトイレシステム１Ａは、第１実施形態の中継モジュール４が管理者モード用ボタン４３を備えているのに対して、中継モジュール４Ａがモード切替ボタン４４を備えている点において主に異なる。
【００３７】
第２実施形態のトイレシステム１Ａの中継モジュール４Ａは、電波受信部４１と、赤外線送信部４２と、モード切替ボタン４４と、を有する。
モード切替ボタン４４は、詳細設定モード又は通常モードに切り替え可能である。詳細には、モード切替ボタン４４は、中継モジュール４Ａで受信した無電源リモコン３からの電波信号を、管理者用の設定情報に書き換える詳細設定モードに切り替え可能である。モード切替ボタン４４により詳細設定モードに切り替えた場合には、無電源リモコン３により、詳細設定を設定可能である。
【００３８】
次に、第２実施形態のトイレシステム１Ａにおけるトイレ装置２の各機能の設定手順について説明する。
第２実施形態のトイレシステム１Ａのトイレ装置２は、主に、住宅用トイレや公衆トイレである。トイレ装置２の各機能の設定は、通常、トイレ装置２の使用者が行うものではなく、主に、トイレ装置２のメンテナンスの際に管理者が行うものである。
【００３９】
管理者用の設定を行う場合には、まず、管理者は、中継モジュール４Ａのモード切替ボタン４４を操作することで、詳細設定モードに切り替える。なお、管理者用の詳細設定を行わない場合には、中継モジュール４Ａのモード切替ボタン４４を通常モードに設定して、無電源リモコン３の押しボタン３１を押すことで、トイレ装置２の洗浄動作が実行される。
【００４０】
次に、無電源リモコン３の押しボタン３１を押すことで、無電源リモコン３を発電させて、その発電された電力を用いて、電波送信部３２は、電波信号を中継モジュール４に送信する。そして、中継モジュール４は、電波信号を電波受信部４１において受信する。
【００４１】
ここで、無電源リモコン３は、モード切替ボタン４４により詳細設定モードに切り替えた場合に、詳細設定を設定可能である。具体的には、トイレ装置２の各機能の設定を、例えば、予め、無電源リモコン３の押しボタン３１を押す回数に応じて送信される無電源リモコン３からの電波信号の回数などに対応付けておく。また、モード切替ボタン４４により詳細設定モードに切り替えた場合は、中継モジュール４Ａで受信した無電源リモコン３からの電波信号を、トイレ装置２の各機能に応じた管理者用の設定情報に書き換えることができる。これにより、管理者は、モード切替ボタン４４により詳細設定モードに切り替えた状態で、トイレ装置２の各機能の設定について予め対応付けた回数だけ押しボタン３１を押すことで、トイレ装置２の各機能の詳細設定を行うことができる。
【００４２】
続けて、中継モジュール４Ａは、中継モジュール４において書き換えられたトイレ装置２の各機能に応じた管理者用の設定情報を、赤外線送信部４２から赤外線信号でトイレ装置２に送信する。
【００４３】
これにより、トイレ装置２は、赤外線受信部２１において赤外線信号を受信する。そして、制御部２２は、赤外線受信部２１において受信した赤外線信号に基づいて、トイレ装置２の各機能の詳細設定を行う。このように、中継モジュール４Ａが無電源リモコン３とトイレ装置２とを１対１で対応させて通信を行うため、電波式の無電源リモコン３を使用して、赤外線式の通信を行うトイレ装置２を動作させることができる。なお、管理者による詳細設定が終了した場合に、管理者は、中継モジュール４Ａのモード切替ボタン４４を通常モードに戻す。
【００４４】
以上説明した本実施形態に係る第２実施形態のトイレシステム１Ａによれば、第１実施形態のトイレシステム１が奏する効果に加えて、以下のような効果を奏する。
第２実施形態においては、中継モジュール４Ａに設けられ、詳細設定モード又は通常モードに切り替え可能なモード切替ボタン４４を更に備える。そのため、モード切替ボタン４４を操作してモードを切り替えることで、無電源リモコン３により詳細設定を設定可能である。これにより、中継モジュール４Ａの構造をシンプルにすることができる。
【００４５】
また、無電源リモコン３は、モード切替ボタン４４により詳細設定モードに切り替えた場合に、詳細設定を設定可能である。これにより、モード切替ボタン４４により詳細設定モードに切り替えることで、無電源リモコン３の押しボタン３１を押すだけで、トイレ装置２の詳細設定を容易に行うことができる。
【００４６】
本発明は上記実施形態に限定されるものではなく、本発明の目的を達成できる範囲での変形、改良等は本発明に含まれる。
前記実施形態においては、無電源リモコン３が電波信号を送信し、中継モジュール４が赤外線信号を送信するように構成したが、これに限定されない。無電源リモコン３が赤外線信号を送信し、中継モジュール４が電波信号を送信するように構成してもよい。
【００４７】
前記実施形態においては、リモコンを無電源リモコン３で構成したが、これに限定されない。リモコンを電池などの電源で動作するリモコンで構成してもよい。
【符号の説明】
【００４８】
１、１Ａ  トイレシステム
２  トイレ装置
３  無電源リモコン（リモコン）
４、４Ａ  中継モジュール
４３  管理者モード用ボタン
４４  モード切替ボタン
【図１】
2019196627.tif 000003
【図２】
2019196627.tif 000004
【図３】
2019196627.tif 000005